(57)【要約】【課題】一人で容易かつ短時間で昇降させることができ、設備費や維持費の廉価な昇降ネットを提供する。【解決手段】左右方向に所定のスパンＳで立設した複数の支柱２の上部に案内部材６を設け、第一支柱２ａの下部にウインチ３を設け、ウインチ３の主ワイヤー４の先端を、全ての案内部材６を通してネット本体１の右側上端部に接続し、第一支柱２ａの案内部材６の左側に隣接してガイド部材７を設け、主ワイヤー４の所定箇所に連結した左端副ワイヤー５の先端を、ガイド部材７を通してネット本体１の左側上端部に接続し、第一支柱２ａおよび最終支柱２ｘに設けた案内部材６を除く各案内部材６を通して、各副ワイヤー５の先端をネット本体１の上端部に接続し、各副ワイヤー５の後端を、各案内部材６より左側において、主ワイヤー４に連結し、左端副ワイヤー５及び各副ワイヤー５を、ネット本体１を地上またはその近傍まで降ろすに十分な長さに設定する。【選択図】      図１
2005312673.tif 000002
【特許請求の範囲】
【請求項１】
網目状のネット本体をウインチで昇降させる昇降ネットであって、
左右方向に所定のスパンで立設した複数の支柱の上部に案内部材を設けると共に、左側端部の支柱である第一支柱の下部に前記ウインチを設け、
前記ウインチの主ワイヤーの先端を、前記全ての案内部材を通して前記ネット本体の右側上端部に接続し、
前記第一支柱の案内部材の左側に隣接してガイド部材を設け、前記主ワイヤーの所定箇所に連結した左端副ワイヤーの先端を、前記ガイド部材を通して前記ネット本体の左側上端部に接続し、
前記第一支柱および右側端部の支柱である最終支柱に設けた案内部材を除く各案内部材を通して、各副ワイヤーの先端を前記ネット本体の上端部に接続し、各副ワイヤーの後端を、各案内部材より左側において、前記主ワイヤーに連結し、
前記左端副ワイヤー及び各副ワイヤーを、前記ネット本体を地上またはその近傍まで降ろすに十分な長さに設定してなることを特徴とする昇降ネット。
【請求項２】
網目状のネット本体をウインチで昇降させる昇降ネットであって、
左右方向に所定のスパンで立設した複数の支柱の上部に案内部材を設けると共に、左側端部の支柱である第一支柱の下部に前記ウインチを設け、
前記ウインチの主ワイヤーの先端を、前記全ての案内部材を通して前記ネット本体の右側上端部に接続し、
右側端部の支柱である最終支柱に設けた案内部材を除く各案内部材を通して、各副ワイヤーの先端を前記ネット本体の上端部に接続し、各副ワイヤーの後端を、各案内部材より左側において、前記主ワイヤーに連結し、
前記各副ワイヤーを、前記ネット本体を地上またはその近傍まで降ろすに十分な長さに設定してなることを特徴とする昇降ネット。
【請求項３】
前記ウインチを手動式または電動式としてなることを特徴とする請求項１又は２に記載の昇降ネット。
【請求項４】
前記案内部材の全てまたは一部を、滑車で構成してなることを特徴とする請求項１乃至３のうちいずれか一つに記載の昇降ネット。
【請求項５】
前記案内部材の全てまたは一部を、丸棒で構成してなることを特徴とする請求項１乃至３のうちいずれか一つに記載の昇降ネット。
【請求項６】
前記丸棒を、その軸芯を中心として回転自在としてなることを特徴とする請求項５に記載の昇降ネット。
【請求項７】
前記案内部材の全てまたは一部を、リング状のリング部材で構成してなることを特徴とする請求項１乃至３のうちいずれか一つに記載の昇降ネット。
【請求項８】
前記各副ワイヤーの後端を、前記主ワイヤーに網込むことにより、主ワイヤーに連結したことを特徴とする請求項１乃至７のうちいずれか一つに記載の昇降ネット。
【発明の詳細な説明】
【技術分野】
【０００１】
本発明は、ゴルフ練習場等で使用される防球用や、防風あるいは防塵用のために設けられる昇降式のネットに関するものである。
【背景技術】
【０００２】
従来、例えば、ゴルフ練習場には防球用のネットが設けられている。また、風の強い地域などでは、防風用や防塵用のためのネットが設けられている。
こうしたネットは、通常、台風の通過等を考慮して、いつでも降ろすことができるように昇降自在に構成されている。そして、この昇降は、電動で行うものと、手動で行うものとがある。
【０００３】
電動式のものは、台風の通過等に先立って、素早く降ろすことができるので操作性に関しては大きな問題はないが、手動式のものは、少人数で行うには多くの時間を要するので対応が遅れてしまうといった危険性がある。
【０００４】
すなわち、手動で昇降を行うネットは、通常、図６に示すように、所定のスパンＳで立設された複数の支柱２に網目状のネット本体１を案内部材（滑車）６を介して設け、そのうちの二つのスパンＳにわたる部分を一つのウインチ３で昇降させる構造となっている。従って、例えば、ネット本体１が八つのスパンＳにわたって設けられている場合には、少なくとも四つのウインチ３を取付けている。
【発明の開示】
【発明が解決しようとする課題】
【０００５】
そして、台風通過時等に、このネット本体１を一人で降下させるには、複数のウインチ３を最初のものから順に回して、まずネット本体１のうち最初の二つのスパンＳに位置する部分をある程度の高さ位置まで降ろし、続いて、次の二つのスパンＳに位置する部分をその高さ位置まで降ろすといった工程を複数回繰り返すことによって、ネット本体１の全体を地上まで降ろしている。そのため、多くの手間と時間を必要とする。また、降ろしたネットを元の状態に上昇させるにも、同様の工程を必要とするので、多くの手間と時間を必要としている。
また、電動で行うものは、複数のウインチ３をそれぞれ駆動させる必要があるので、設備費や維持費が嵩むといった問題がある。
【０００６】
そこで、本発明の目的とするところは、一人で容易かつ短時間で昇降させることができ、設備費や維持費の廉価な昇降ネットを提供することにある。
【課題を解決するための手段】
【０００７】
上記の目的を達成するために、本発明の請求項１に記載の発明は、網目状のネット本体（１）をウインチ（３）で昇降させる昇降ネットであって、左右方向に所定のスパン（Ｓ）で立設した複数の支柱（２）の上部に案内部材（６）を設けると共に、左側端部の支柱（２）である第一支柱（２ａ）の下部に前記ウインチ（３）を設け、前記ウインチ（３）の主ワイヤー（４）の先端を、前記全ての案内部材（６）を通して前記ネット本体（１）の右側上端部に接続し、前記第一支柱（２ａ）の案内部材（６）の左側に隣接してガイド部材（７）を設け、前記主ワイヤー（４）の所定箇所に連結した左端副ワイヤー（５）の先端を、前記ガイド部材（７）を通して前記ネット本体（１）の左側上端部に接続し、前記第一支柱（２ａ）および右側端部の支柱（２）である最終支柱（２ｘ）に設けた案内部材（６）を除く各案内部材（６）を通して、各副ワイヤー（５）の先端を前記ネット本体（１）の上端部に接続し、各副ワイヤー（５）の後端を、各案内部材（６）より左側において、前記主ワイヤー（４）に連結し、前記左端副ワイヤー（５）及び各副ワイヤー（５）を、前記ネット本体（１）を地上またはその近傍まで降ろすに十分な長さに設定してなることを特徴とする。
【０００８】
また、請求項２に記載の発明は、網目状のネット本体（１）をウインチ（３）で昇降させる昇降ネットであって、左右方向に所定のスパン（Ｓ）で立設した複数の支柱（２）の上部に案内部材（６）を設けると共に、左側端部の支柱（２）である第一支柱（２ａ）の下部に前記ウインチ（３）を設け、前記ウインチ（３）の主ワイヤー（４）の先端を、前記全ての案内部材（６）を通して前記ネット本体（１）の右側上端部に接続し、右側端部の支柱（２）である最終支柱（２ｘ）に設けた案内部材（６）を除く各案内部材（６）を通して、各副ワイヤー（５）の先端を前記ネット本体（１）の上端部に接続し、各副ワイヤー（５）の後端を、各案内部材（６）より左側において、前記主ワイヤー（４）に連結し、前記各副ワイヤー（５）を、前記ネット本体（１）を地上またはその近傍まで降ろすに十分な長さに設定してなることを特徴とする。
【０００９】
さらに、請求項３に記載の発明は、前記ウインチ（３）を手動式または電動式としてなることを特徴とする。
【００１０】
さらにまた、請求項４に記載の発明は、前記案内部材（６）の全てまたは一部を、滑車で構成してなることを特徴とする。
【００１１】
また、請求項５に記載の発明は、前記案内部材（６）の全てまたは一部を、丸棒で構成してなることを特徴とする。
【００１２】
また、請求項６に記載の発明は、前記丸棒を、その軸芯を中心として回転自在としてなることを特徴とする。
【００１３】
また、請求項７に記載の発明は、前記案内部材（６）の全てまたは一部を、リング状のリング部材で構成してなることを特徴とする。
【００１４】
また、請求項８に記載の発明は、前記各副ワイヤー（５）の後端を、前記主ワイヤー（４）に網込むことにより、主ワイヤー（４）に連結したことを特徴とする。
【発明の効果】
【００１５】
請求項１及び請求項２に記載の発明によれば、第一支柱の下部に設けたウインチのみによってネット本体を昇降させることができるので、一人で容易かつ短時間で行うことができる。
【００１６】
すなわち、例えば、ネット本体を降ろす場合には、ウインチを反時計回り方向へ回転させて主ワイヤーを緩める。これにより、ネット本体の右側端部は当該主ワイヤーが緩むに従って下降し、また、ネット本体の左側端部および両者の中間部分はそれぞれ副ワイヤーがガイド部材および案内部材（請求項２の場合は、案内部材だけ）を通って下方向へ移動するので、ネット本体の全体を水平姿勢を保った状態で、同時に降ろすことができる。
【００１７】
また、当該ネット本体を上昇させるには、ウインチを時計回り方向へ回転させる。これにより、主ワイヤーおよび副ワイヤーが、下降の場合とは逆に、案内部材およびガイド部材（請求項２の場合は、案内部材だけ）を通って逆方向（上方向）へ移動するので、ネット本体の全体を水平姿勢を維持した状態で同時に上昇させることができる。
【００１８】
また、請求項３に記載の発明によれば、請求項１，２に記載の発明の作用効果に加えて、ウインチを手動式または電動式としたので、手動式とした場合には、前述したように、一人でウインチを操作して容易かつ短時間でネット本体を昇降させることができる。また、電動式とした場合には、ウインチを一台設ければよいので、設備の簡素化が図れ、設備費および維持費を軽減することができる。
【００１９】
さらに、請求項４に記載の発明によれば、請求項１〜３に記載の発明の作用効果に加えて、案内部材の全てまたは一部を滑車で構成したので、主ワイヤーおよび副ワイヤーの移動を小さい摩擦抵抗で円滑に行わせることができる。従って、ネット本体の昇降を、より容易かつ短時間で行うことができる。
【００２０】
また、請求項５に記載の発明によれば、請求項１〜３に記載の発明の作用効果に加えて、案内部材の全てまたは一部を丸棒で構成したので、設備の簡素化を図ることができる。
【００２１】
さらに、請求項６に記載の発明によれば、請求項５に記載の発明の作用効果に加えて、丸棒を、その軸芯を中心として回転自在としたので、主ワイヤーおよび副ワイヤーとの摩擦抵抗が軽減され、当該主ワイヤーおよび副ワイヤーの移動がより円滑となり、操作性が向上する。
【００２２】
またさらに、請求項７に記載の発明によれば、請求項１〜３に記載の発明の作用効果に加えて、案内部材の全てまたは一部をリング部材で構成したので、当該昇降ネットの簡素化を図ることができると共に、その孔部に主ワイヤーおよび副ワイヤーを通すので、当該主ワイヤーおよび副ワイヤーが案内部材から離脱することがない。従って、ネット本体の昇降を、より安定して行うことができる。
【００２３】
またさらに、請求項８に記載の発明によれば、請求項１〜３に記載の発明の作用効果に加えて、各副ワイヤーの後端を、主ワイヤーに網込むことにより、主ワイヤーに連結するので、連結用の特殊金具等が不要になる。
【発明を実施するための最良の形態】
【００２４】
図１および図２を参照して、本発明の実施形態に係る昇降ネットについて説明する。図１は昇降ネットのネット本体が上昇した状態における要部を示す正面図であり、図２はネット本体が下降した状態における要部を示す正面図である。従来例で示したものと同一部分には同一符合を付した。
【００２５】
これは、網目状のネット本体１をウインチ３で昇降させる昇降ネットであって、左右方向に所定のスパンＳで立設した多数の支柱２（第一支柱２ａ，第二支柱２ｂ，第三支柱２ｃ，・・・最終支柱２ｘ）のそれぞれの上部に案内部材６である滑車を設けると共に、左側端部の支柱２である第一支柱２ａの下部に手動式のウインチ３を設けている。また、ウインチ３の主ワイヤー４の先端を、全ての案内部材６を通してネット本体１の右側上端部に接続している。さらに、第一支柱２ａの案内部材６の左側に隣接して丸棒であるガイド部材７を設け、主ワイヤー４の当該ガイド部材７より下位に連結した副ワイヤー５の先端を、そのガイド部材７を通してネット本体１の左側上端部に接続している。
【００２６】
また、第一支柱２ａおよび右側端部の支柱２である最終支柱２ｘに設けた案内部材６を除く各案内部材６を通して、各副ワイヤー５の先端をネット本体１の上端部に接続し、各副ワイヤー５の後端を、各案内部材６より左側において、主ワイヤー４に連結している。そして、左端副ワイヤー５及び各副ワイヤー５を、ネット本体１を地上まで降ろすに十分な長さに設定している。
【００２７】
この昇降ネットにおいて、ネット本体１を降ろすにはウインチ３を所定方向、例えば反時計回り方向に回して主ワイヤー４を緩める。
これにより、主ワイヤー４および副ワイヤー５は、ガイド部材７および案内部材６を通って同時に下降するので、ネット本体１はその全体が水平姿勢を維持しながら同時に地上まで降下する。
【００２８】
また、ネット本体１を元の状態まで上昇させるには、ウインチ３を逆方向、例えば時計回り方向に回転させる。
これによって、主ワイヤー４および副ワイヤー５はそれぞれガイド部材７および案内部材６に向かって上昇するのでネット本体１は上方に引き上げられる。
【００２９】
このように、本実施形態に係る昇降ネットは、一台のウインチ３を回すことによってネット本体１の全体を一度に昇降させることができるので、一人でも容易かつ短時間で行うことができる。
従って、例えば、台風が急襲した場合などにおいても、それに対応して、ネット本体を迅速に降ろすことができる。
【００３０】
なお、本実施形態においては、ガイド部材７を設けたが、図３に示すように、ガイド部材７を設けることなく、案内部材６だけでネット本体１を支持させることもできる。
これは、図１で示したものと同様に、網目状のネット本体１をウインチ３で昇降させる昇降ネットであって、左右方向に所定のスパンＳで立設した複数の支柱２の上部に案内部材６を設けると共に、左側端部の支柱２である第一支柱２ａの下部にウインチ３を設ける。そして、ウインチ３の主ワイヤー４の先端を、全ての案内部材６を通してネット本体１の右側上端部に接続する。そしてさらに、右側端部の支柱２である最終支柱２ｘに設けた案内部材６を除く各案内部材６を通して、各副ワイヤー５の先端をネット本体１の上端部に接続し、各副ワイヤー５の後端を、各案内部材６より左側において、主ワイヤー４に連結する。なお各副ワイヤー５は、ネット本体１を地上またはその近傍まで降ろすに十分な長さに設定してある。
これによっても、一台のウインチ３を回すことによってネット本体１の全体を一度に昇降させることができ、一人でも容易かつ短時間で行うことができる。
【００３１】
また、本実施形態においては、ウインチ３を手動式としているが、それに変えて電動式とすることもできる。その場合、一台のウインチ３を駆動させるのみでネット本体１を昇降させることができるので、設備費および維持費の低廉化を図ることができる。
【００３２】
また、本実施形態では、案内部材６を滑車で構成し、ガイド部材７を丸棒で構成しているが、本発明はこれに限定されるものではなく、案内部材６とガイド部材７の両方を滑車で構成したり、図４に示すように、それらの全てを丸棒で構成することもできる。ガイド部材７を滑車で構成した場合は、主ワイヤー４および副ワイヤー５の移動をより小さい摩擦抵抗で行わせて動作の円滑化を図ることができ、また、丸棒で構成した場合は、当該昇降ネットの簡素化を図ることができる。
【００３３】
また、案内部材６やガイド部材７を丸棒で構成する場合には、その丸棒を回転不能に固定したり、あるいはその軸芯を中心として回転自在とすることもできる。丸棒を回転自在とすると、当該昇降ネットの簡素化と共に、主ワイヤー４および副ワイヤー５との摩擦抵抗を軽減することができる。
【００３４】
さらには、図５に示すように、案内部材６およびガイド部材７の全てまたはその一部をリング部材で構成することもできる。この場合、主ワイヤー４および副ワイヤー５をリング部材の孔部に挿通させるので、当該主ワイヤー４および副ワイヤー５を案内部材６およびガイド部材７から離脱させることがなく、当該ワイヤー４，５の移動を安定化させることができる。
また、各副ワイヤー５の後端を、主ワイヤー４に網込むことにより、主ワイヤー４に連結し、連結用の特殊金具等を不要にすることもできる。
【図面の簡単な説明】
【００３５】
【図１】本発明の実施形態に係る昇降ネットを示す要部正面図である（ネット本体が上昇した状態）。
【図２】本発明の実施形態に係る昇降ネットを示す要部正面図である（ネット本体が下降した状態）。
【図３】本発明の他の実施形態に係る昇降ネットを示す要部正面図である（ネット本体が上昇した状態）。
【図４】本発明のさらに他の実施形態に係る昇降ネットを示す要部正面図である。
【図５】本発明のさらに他の実施形態に係る昇降ネットを示す要部正面図である。
【図６】従来例に係る昇降ネットを示す要部正面図である。
【符号の説明】
【００３６】
１      ネット本体
２      支柱
２ａ    第一支柱
２ｂ    第二支柱
２ｃ    第三支柱
２ｘ    最終支柱
３      ウインチ
４      主ワイヤー
５      副ワイヤー
６      案内部材
７      ガイド部材
Ｓ      スパン
【図１】
2005312673.tif 000003
【図２】
2005312673.tif 000004
【図３】
2005312673.tif 000005
【図４】
2005312673.tif 000006
【図５】
2005312673.tif 000007
【図６】
2005312673.tif 000008